(57)【特許請求の範囲】
【請求項１】
数種類のタイプに分類された門、アプローチ、玄関ポーチを適宜組み合わせて、門からアプローチを介して玄関ポーチに至る複数の外構アプローチパターンを設定するとともに、これら外構アプローチパターン別に実際の構築に最低限必要な基本寸法を決定し、敷地内の配置スペースと各外構アプローチパターンの基本寸法とを比較して、配置スペース内に収まる外構アプローチパターンを選び出すようにしたことを特徴とする外構アプローチの設計方法。
【請求項２】
基本寸法は、道路から玄関ポーチまでの奥行き寸法、及び門と玄関ポーチとの横ずれ寸法とされている請求項１記載の外構アプローチの設計方法。
【請求項３】
門は、道路からの入り方によって、道路と直角な方向に入る直入りタイプと、道路と平行な方向に入る横入りタイプの２種類に分類されている請求項１又は２記載の外構アプローチの設計方法。
【請求項４】
アプローチは、門から玄関ポーチに至る形状によって、門から玄関ポーチまで一直線状に延びるＩ型タイプと、門から玄関ポーチまでの途中で１回曲がるＬ型タイプと、門から玄関ポーチまでの途中で２回曲がるＺ型タイプの３種類のタイプに分類されている請求項１乃至３のいずれかに記載の外構アプローチの設計方法。
【請求項５】
玄関ポーチは、アプローチとの接続のし方によって、アプローチから玄関扉へ真っ直ぐに入るように接続する直接続タイプと、アプローチから玄関扉へ直角に曲がって入るように接続する横接続タイプの２種類に分類されている請求項１乃至４のいずれかに記載の外構アプローチの設計方法。
【発明の詳細な説明】
【０００１】
【発明の属する技術分野】
本発明は、建物の敷地内に構築される外構アプローチの設計方法に関する。
【０００２】
【従来の技術】
一般に、戸建て住宅の敷地内における配置にあたっては、北側斜線、壁面後退、採光などの法律要件を満たすことを優先に決定されている。一方、住宅とともに生活する人々が毎日利用する外構アプローチについては、安全で、使い勝手の良いバランスの取れた外構アプローチを構築するには、どれほどのスペースを必要とするのかまで深く考慮されることなく、住宅を配置した後の残ったスペースに配置しているのが現状である。
【０００３】
【発明が解決しようとする課題】
このため、従来においては  門廻りが貧弱であるとか、狭くて出入りがし難いといったように、外構アプローチに対する不満が多く、特に配置スペースが狭いときには顕著であった。
【０００４】
しかも、数種類の門、アプローチ、及び玄関ポーチを適宜組み合わせてなる外構アプローチには、多数のパターンがあるので、外構アプローチの設計に際して、その多数の外構アプローチパターンの中から配置スペースに見合った外構アプローチパターンを選び出すだけでも、かなりの時間と労力を必要としていた。
【０００５】
本発明は、上記の不具合を解消して、敷地内の配置スペースに見合った無理のない外構アプローチパターンを、素早く簡単に選び出して提案することができる外構アプローチの設計方法の提供を目的とする。
【０００６】
【課題を解決するための手段】
上記課題を解決するため、本発明の外構アプローチの設計方法は、数種類のタイプに分類された門、アプローチ、玄関ポーチを適宜組み合わせて、門からアプローチを介して玄関ポーチに至る複数の外構アプローチパターンを設定するとともに、これら外構アプローチパターン別に実際の構築に最低限必要な基本寸法を決定し、敷地内の配置スペースと各外構アプローチパターンの基本寸法とを比較して、配置スペース内に収まる外構アプローチパターンを選び出すようにしたことを特徴とする。
【０００７】
具体的に、基本寸法は、道路から玄関ポーチまでの奥行き寸法、及び門と玄関ポーチとの横ずれ寸法とされている。
【０００８】
また、門は、道路からの入り方によって、道路と直角な方向に入る直入りタイプと、道路と平行な方向に入る横入りタイプの２種類に分類され、アプローチは、門から玄関ポーチに至る形状によって、門から玄関ポーチまで一直線状に延びるＩ型タイプと、門から玄関ポーチまでの途中で１回曲がるＬ型タイプと、門から玄関ポーチまでの途中で２回曲がるＺ型タイプの３種類のタイプに分類され、さらに玄関ポーチは、アプローチとの接続のし方によって、アプローチから玄関扉へ真っ直ぐに入るように接続する直接続タイプと、アプローチから玄関扉へ直角に曲がって入るように接続する横接続タイプの２種類に分類されている。
【０００９】
【発明の実施の形態】
以下、本発明の実施形態を図面に基づいて詳細に説明する。本発明の一実施形態に係る外構アプローチの設計方法においては、数種類のタイプに分類された門(１)(２)、アプローチ(３)(４)(５)、玄関ポーチ(６)(７)を適宜組み合わせて、図１に示すように、複数の外構アプローチパターンを設定している。
【００１０】
門(１)(２)は、道路からの入り方によって、図２に示すような道路(30)と直角な方向に入る直入りタイプの門(１)と、図３に示すような道路(30)と平行な方向に入る横入りタイプの門(２)の２種類に分類されている。
【００１１】
直入りタイプの門(１)においては、その長方形の門前スペース(31)の道路(30)と平行な方向の幅寸法(Ｗ１)を少なくとも２６００ｍｍ、道路(30)と直角な方向の奥行き寸法(Ｚ１)を少なくとも８００ｍｍ確保するとともに、門扉(32)の開放スペース(33)の奥行き寸法(Ｚ２)を少なくとも１０００ｍｍ確保し、そのさらに奥側に少なくとも奥行き寸法(Ｚ３)が３００ｍｍの余裕スペース(34)を設けるようにしている。そして、門扉(32)部分の幅寸法(Ｗ２)を少なくとも１４００ｍｍ確保するとともに、ポスト、インターホンや表札等の門廻り設備を設置する主門袖(35)の幅寸法(Ｗ３)を少なくとも８００ｍｍ、副門袖(36)の幅寸法(Ｗ４)を少なくとも４００ｍｍ、夫々確保するようにしている。
【００１２】
また、横入りタイプの門(２)においては、その長方形の門前スペース(31)の道路(30)と平行な方向の幅寸法(Ｗ５)を少なくとも２０００ｍｍ、道路(30)と直角な方向の奥行き寸法(Ｚ４)を少なくとも２２００ｍｍ確保するとともに、門扉(32)の開放スペース(33)の幅寸法(Ｗ６)を少なくとも１０００ｍｍ確保し、そのさらに奥側に少なくとも幅寸法(Ｗ７)が３００ｍｍの余裕スペース(34)を設けるようにしている。そして、門扉(32)部分の奥行き寸法(Ｚ５)を少なくとも１４００ｍｍ確保するとともに、ポスト、インターホンや表札等の門廻り設備は、道路(30)に面した塀(37)に設置するようにしている。
【００１３】
なお、直入りタイプ及び横入りタイプの門(１)(２)において、余裕スペース(34)を設けるようにしたのは、門(１)(２)と玄関ポーチ(６)(７)とが近接する場合でも、両者の間に少なくとも余裕スペース(34)分のアプローチ(３)(４)(５)を配置して、門(１)(２)と玄関ポーチ(６)(７)とをアプローチ(３)(４)(５)を介して接続するためである。
【００１４】
これら門(１)(２)における各寸法は、貧弱さを与えることなく、余裕をもって安全に出入りするために最低限必要な寸法であり、この寸法をクリアすることによって、門廻りに対する不満を解消することができる。
【００１５】
アプローチ(３)(４)(５)は、門(１)(２)から玄関ポーチ(６)(７)に至る形状によって、図４(ａ)に示すような門(１)(２)から玄関ポーチ(６)(７)まで一直線状に延びるＩ型タイプのアプローチ(３)と、図４(ｂ)に示すような門(１)(２)から玄関ポーチ(６)(７)までの途中で１回曲がるＬ型タイプのアプローチ(４)と、図４(ｃ)に示すような門(１)(２)から玄関ポーチ(６)(７)までの途中で２回曲がるＺ型タイプのアプローチ(５)の３種類のタイプに分類されている。これら各アプローチ(３)(４)(５)の幅寸法は、少なくとも１０００ｍｍ確保するようにしている。
【００１６】
玄関ポーチ(６)(７)は、アプローチ(３)(４)(５)との接続のし方によって、図５(ａ)に示すようなアプローチ(３)(４)(５)から玄関扉(39)へ真っ直ぐに入るように接続する直接続タイプの玄関ポーチ(６)と、図５(ｂ)に示すようなアプローチ(３)(４)(５)から玄関扉(39)へ直角に曲がって入るように接続する横接続タイプの玄関ポーチ(７)の２種類に分類されている。なお、直接続タイプの玄関ポーチ(６)においては、その中心をアプローチ(３)(４)(５)の中心に合わせるようにし、横接続タイプの玄関ポーチ(７)においては、そのポーチ先端をアプローチ(３)(４)(５)端に合わせるようにしている。
【００１７】
そして、上記のような２種類の門(１)(２)、３種類のアプローチ(３)(４)(５)、２種類の玄関ポーチ(６)(７)を組み合わせることによって、全部で１２種類の外構アプローチパターン(11)〜(22)が設定されている。
【００１８】
以下、各外構アプローチパターン(11)〜(22)について説明すると、図６は、直Ｉ直型の外構アプローチパターン(11)を示しており、直入りタイプの門(１)、Ｉ型タイプのアプローチ(３)、直接続タイプの玄関ポーチ(６)を組み合わせてなる。図７は、直Ｉ横型の外構アプローチパターン(12)を示しており、直入りタイプの門(１)、Ｉ型タイプのアプローチ(３)、横接続タイプの玄関ポーチ(７)を組み合わせてなる。図８は、直Ｚ直型の外構アプローチパターン(13)を示しており、直入りタイプの門(１)、Ｚ型タイプのアプローチ(５)、直接続タイプの玄関ポーチ(６)を組み合わせてなる。
【００１９】
図９は、直Ｚ横型の外構アプローチパターン(14)を示しており、直入りタイプの門(１)、Ｚ型タイプのアプローチ(５)、横接続タイプの玄関ポーチ(７)を組み合わせてなる。図１０は、直Ｌ直型の外構アプローチパターン(15)を示しており、直入りタイプの門(１)、Ｌ型タイプのアプローチ(４)、直接続タイプの玄関ポーチ(６)を組み合わせてなる。図１１は、直Ｌ横型の外構アプローチパターン(16)を示しており、直入りタイプの門(１)、Ｌ型タイプのアプローチ(４)、横接続タイプの玄関ポーチ(７)を組み合わせてなる。
【００２０】
図１２は、横Ｉ直型の外構アプローチパターン(17)を示しており、横入りタイプの門(２)、Ｉ型タイプのアプローチ(３)、直接続タイプの玄関ポーチ(６)を組み合わせてなる。図１３は、横Ｉ横型の外構アプローチパターン(18)を示しており、横入りタイプの門(２)、Ｉ型タイプのアプローチ(３)、横接続タイプの玄関ポーチ(７)を組み合わせてなる。図１４は、横Ｚ直型の外構アプローチパターン(19)を示しており、横入りタイプの門(２)、Ｚ型タイプのアプローチ(５)、直接続タイプの玄関ポーチ(６)を組み合わせてなる。
【００２１】
図１５は、横Ｚ横型の外構アプローチパターン(20)を示しており、横入りタイプの門(２)、Ｚ型タイプのアプローチ(５)、横接続タイプの玄関ポーチ(７)を組み合わせてなる。図１６は、横Ｌ直型の外構アプローチパターン(21)を示しており、横入りタイプの門(２)、Ｌ型タイプのアプローチ(４)、直接続タイプの玄関ポーチ(６)を組み合わせてなる。図１７は、横Ｌ横型の外構アプローチパターン(22)を示しており、横入りタイプの門(２)、Ｌ型タイプのアプローチ(４)、横接続タイプの玄関ポーチ(７)を組み合わせてなる。
【００２２】
このようにして構成された外構アプローチパターン(11)〜(22)別に、実際の構築に際して最低限必要な基本寸法、すなわち安全で使い勝手が良く、バランスの取れた無理のない状態での構築を実現するために最低限必要な基本寸法を決定している。この基本寸法は、門(１)(２)の各寸法を考慮して決定されるもので、図６乃至図１７に示すように、道路(30)から玄関ポーチ(６)(７)までの奥行き寸法、具体的には道路(30)と敷地(40)との境界から玄関ポーチ(６)(７)の道路(30)側の端部までの奥行き寸法(Ｄ)、及び門(１)(２)と玄関ポーチ(６)(７)との横ずれ寸法、具体的には奥行き方向と直角な方向の玄関ポーチ(６)(７)端から門(１)(２)端までの最長横ずれ寸法(Ｙ)としている。なお、各外構アプローチパターン(11)〜(22)における奥行き寸法(Ｄ)及び横ずれ寸法(Ｙ)は、図１に示してある。
【００２３】
そして、本実施形態の設計方法においては、各外構アプローチアプローチ(11)〜(22)の基本寸法と、敷地(40)内の外構アプローチ配置のためのスペースとを比較して、その配置スペース内に収まる外構アプローチパターン(11)〜(22)を選び出し、実際に構築する外構アプローチとしている。
【００２４】
例えば、配置スペースの奥行き寸法が２ｍのときには、奥行き寸法(Ｄ)が２ｍ以下である横入りタイプの門(２)を備えた外構アプローチパターン(17)〜(22)を選択し、これらの横ずれ寸法(Ｙ)と配置スペースの幅寸法(奥行き寸法と直交する横方向の寸法)とを比べて、最終的に無理なく構築することができる外構アプローチを選び出す。例えば、配置スペースの幅寸法が４ｍの場合には、横Ｉ直横型及び横Ｌ直横型の外構アプローチパターン(17)(18)(21)(22)を選択することになる。このように、選び出した外構アプローチパターン(17)(18)(21)(22)が複数ある場合には、そこに生活する人の要望やその他諸条件によって、その中から１つを選び出して、実際に構築する外構アプローチパターンとすれば良い。
【００２５】
また、配置スペースの奥行き寸法が３ｍのときには、横入りタイプの門(２)を備えた外構アプローチパターン(17)〜(22)に加えて、直Ｉ直横型及び直Ｌ直横型の外構アプローチパターン(11)(12)(15)(16)を選択し、これらの横ずれ寸法(Ｙ)と配置スペースの幅寸法とを比べて、最終的に無理なく構築することができる外構アプローチを選び出す。例えば、配置スペースの幅寸法が２ｍの場合には、直Ｉ直横型の外構アプローチパターン(11)(12)を選択することになる。
【００２６】
なお、配置スペースは、敷地内に住宅を配置する時点で確保しておくようにすると、それだけ設計の自由度が増すことになるが、法律要件等の事情により住宅の配置を優先した場合、或いは既存の住宅において外構アプローチを構築し直す場合であっても、その残りの配置スペースに見合った無理のない外構アプローチパターン(11)〜(22)を選び出すことができる。
【００２７】
本発明は、上記実施形態に限定されるものではなく、本発明の範囲内で上記実施形態に多くの修正及び変更を加え得ることは勿論である。
【００２８】
【発明の効果】
以上の説明から明らかなように、本発明の設計方法によると、外構アプローチパターン別に基本寸法を決定し、敷地内の配置スペースと各外構アプローチパターンの基本寸法とを比較して、配置スペース内に収まる外構アプローチパターンを選び出すようにしているので、複数の外構アプローチパターンの中から配置スペースに見合った無理のない外構アプローチパターンを、素早く簡単に選び出すことができ、これによって配置スペースに応じた外構アプローチの設計を迅速かつ容易に行うことができる。
【００２９】
また、このようにして選び出した外構アプローチパターンを、敷地内の配置スペースに実際に構築することによって、基本寸法を確保した使い勝手の良い外構アプローチとすることができ、従来のような外構アプローチに対する不満を解消することができる。
【００３０】
さらに、外構アプローチパターンを構成する門、アプローチ、玄関ポーチの種類を、道路からの入り方、形状、接続のし方といった進入形態によって分類しているので、各外構アプローチパターンの特徴を簡単かつ的確に把握することができ、これによって外構アプローチの設計をより簡単に行うことができる。
【図面の簡単な説明】
【図１】本発明の一実施形態に係る外構アプローチパターンを示す図である。
【図２】直入りタイプの門を示す概略平面図である。
【図３】横入りタイプの門を示す概略平面図である。
【図４】各タイプのアプローチを示す概略平面図である。
【図５】各タイプの玄関ポーチを示す概略平面図である。
【図６】直Ｉ直型の外構アプローチパターンを示す概略平面図である。
【図７】直Ｉ横型の外構アプローチパターンを示す概略平面図である。
【図８】直Ｚ直型の外構アプローチパターンを示す概略平面図である。
【図９】直Ｚ横型の外構アプローチパターンを示す概略平面図である。
【図１０】直Ｌ直型の外構アプローチパターンを示す概略平面図である。
【図１１】直Ｌ横型の外構アプローチパターンを示す概略平面図である。
【図１２】横Ｉ直型の外構アプローチパターンを示す概略平面図である。
【図１３】横Ｉ横型の外構アプローチパターンを示す概略平面図である。
【図１４】横Ｚ直型の外構アプローチパターンを示す概略平面図である。
【図１５】横Ｚ横型の外構アプローチパターンを示す概略平面図である。
【図１６】横Ｌ直型の外構アプローチパターンを示す概略平面図である。
【図１７】横Ｌ横型の外構アプローチパターンを示す概略平面図である。
【符号の説明】
(１)(２)  門
(３)(４)(５)  アプローチ
(６)(７)  玄関ポーチ
(11)〜(22)  外構アプローチパターン
(39)  玄関扉
(40)  敷地
(Ｄ)  奥行き寸法
(Ｙ)  横ずれ寸法
【図１】
0003802719.tif 000002
【図２】
0003802719.tif 000003
【図３】
0003802719.tif 000004
【図４】
0003802719.tif 000005
【図５】
0003802719.tif 000006
【図６】
0003802719.tif 000007
【図７】
0003802719.tif 000008
【図８】
0003802719.tif 000009
【図９】
0003802719.tif 000010
【図１０】
0003802719.tif 000011
【図１１】
0003802719.tif 000012
【図１２】
0003802719.tif 000013
【図１３】
0003802719.tif 000014
【図１４】
0003802719.tif 000015
【図１５】
0003802719.tif 000016
【図１６】
0003802719.tif 000017
【図１７】
0003802719.tif 000018